(57)【要約】【課題】コンテンツ表示装置の状態に応じて、通信コンテンツへのアクセスを制御することにより、利用者が意図しない通信コンテンツのアクセスを制限することにより、消費電流を押さえることが可能なコンテンツ表示装置等を提供すること。【解決手段】放送コンテンツに含まれるＢＭＬ文章を抽出し、解析するＢＭＬ文章解析部と、ＢＭＬ文章解析部により解析されたＢＭＬ文章を表示するＢＭＬ文章表示部と、ＢＭＬ文章に、他のコンテンツを取得するためのリンク先情報が含まれているか否かを判定するリンク先情報判定部と、コンテンツ表示装置の電池残量が所定の閾値以下又はコンテンツ表示装置が緊急時モードの場合には、前記通信コンテンツの取得を抑制する制御を行うコンテンツ制御部と、を備える。【選択図】図３
2013187657.tif 000002
【特許請求の範囲】
【請求項１】
コンテンツを取得して表示するコンテンツ表示装置において、
受信された放送波から放送コンテンツを取得する放送コンテンツ取得部と、
通信ネットワークから通信コンテンツを取得する通信コンテンツ取得部と、
前記放送コンテンツに含まれるＢＭＬ文章を抽出し、解析するＢＭＬ文章解析部と、
前記ＢＭＬ文章解析部により解析されたＢＭＬ文章を表示するＢＭＬ文章表示部と、
前記ＢＭＬ文章に、他のコンテンツを取得するためのリンク先情報が含まれているか否かを判定するリンク先情報判定部と、
コンテンツ表示装置の電池残量が所定の閾値以下又はコンテンツ表示装置が緊急時モードの場合には、前記通信コンテンツの取得を抑制する制御を行うコンテンツ制御部と、
を備えることを特徴とするコンテンツ表示装置。
【請求項２】
前記コンテンツ制御部は、前記ＢＭＬ文章表示部がＢＭＬ文章を表示する場合に、前記コンテンツの取得を抑制するために、取得先が通信コンテンツとなるリンク先情報を無効にする制御を行うことを特徴とする請求項１に記載のコンテンツ表示装置。
【請求項３】
前記コンテンツ制御部は、前記ＢＭＬ文章表示部がＢＭＬ文章を表示する場合に、前記コンテンツの取得を抑制するために、取得先が通信コンテンツとなるリンク先情報の表示を変更する制御を行うことを特徴とする請求項１に記載のコンテンツ表示装置。
【請求項４】
前記コンテンツ制御部は、前記通信コンテンツの取得をしようとする場合に、警告表示を行うことにより前記通信コンテンツの取得を抑制する制御を行うことを特徴とする請求項１に記載のコンテンツ表示装置。
【請求項５】
前記緊急時モードは、通信ネットワークから緊急速報情報を受信した場合に切り替わることを特徴とする請求項１から４に記載のコンテンツ表示装置。
【請求項６】
前記緊急速報情報は、緊急地震速報であることを特徴とする請求項５に記載のコンテンツ表示装置。
【請求項７】
コンテンツを取得して表示可能なコンピュータに、
受信された放送波から放送コンテンツを取得する放送コンテンツ取得ステップと、
通信ネットワークから通信コンテンツを取得する通信コンテンツ取得ステップと、
前記放送コンテンツに含まれるＢＭＬ文章を抽出し、解析するＢＭＬ文章解析ステップと、
前記解析されたＢＭＬ文章を表示するＢＭＬ文章表示ステップと、
前記ＢＭＬ文章に、他のコンテンツを取得するためのリンク先情報が含まれているか否かを判定するリンク先情報判定ステップと、
コンピュータの電池残量が所定の閾値以下又はコンピュータが緊急時モードの場合には、前記通信コンテンツの取得を抑制する制御を行うコンテンツ制御ステップと、
を実現するためのプログラム。
【発明の詳細な説明】
【技術分野】
【０００１】
本発明は、コンテンツ表示装置等に関する。
【背景技術】
【０００２】
様々なコンテンツを受信して表示するコンテンツ表示装置がある。ここで、表示されるコンテンツとして、例えば放送局から受信される放送データに含まれて取得される放送コンテンツと、通信ネットワークを介して取得される通信コンテンツがあり、放送コンテンツ、通信コンテンツを表示可能な装置が知られている（例えば、特許文献１参照）。
【０００３】
また、コンテンツ表示装置の一例として、携帯電話のような移動通信端末を利用するものが知られている。この場合、例えばワンセグ放送を受信し、ワンセグ放送に含まれているコンテンツが表示される。このコンテンツは、ＢＭＬ（Broadcast Markup Language）で記述されているのが一般的である。
【０００４】
ここで、携帯電話のような通信手段を備えた移動通信端末においても、上述したようにワンセグ放送をはじめとするデジタル放送（データ放送）で取得できる放送コンテンツと、ネットワークに接続して取得できる通信コンテンツが取得・表示可能である。そして、ＢＭＬで記述された文章に含まれるリンク先に遷移（ジャンプ）することで、容易に他のコンテンツを取得して表示する、いわゆるリンク機能を利用することが可能である。
【先行技術文献】
【特許文献】
【０００５】
【特許文献１】特開２００８−２５２３５８号公報
【発明の概要】
【発明が解決しようとする課題】
【０００６】
移動通信端末において、ネットワークに接続を行うと消費電流が増加するため、電池残量が少なくなったときや、災害時等で電池残量を減らしたくない時にはネットワークに接続しないといった利用者のニーズが存在している。
【０００７】
そのため、例えばデータ放送を表示するブラウザにおいて、通信コンテンツにアクセスする場合には、「接続しますか？」といった警告表示を行う設定とすることができる。
【０００８】
しかし、近年パケット定額制の普及により、通常の使用時においては気軽に通信コンテンツにアクセスすることができるようになった。このとき、利用者は利便性を優先し、警告表示の機能はＯＦＦとすることが多かった。
【０００９】
したがって、リンク先のコンテンツが放送コンテンツか、通信コンテンツかを無意識にアクセスするため、利用者の意図に反して消費電流を増加させてしまうといった問題点が生じていた。
【００１０】
上記課題に鑑み、本発明が目的とするところは、コンテンツ表示装置の状態に応じて、通信コンテンツへのアクセスを制御することにより、利用者が意図しない通信コンテンツのアクセスを制限することにより、消費電流を押さえることが可能なコンテンツ表示装置等を提供することである。
【課題を解決するための手段】
【００１１】
コンテンツを取得して表示するコンテンツ表示装置において、
上述した課題を解決するために、本発明のコンテンツ表示装置は、
受信された放送波から放送コンテンツを取得する放送コンテンツ取得部と、
通信ネットワークから通信コンテンツを取得する通信コンテンツ取得部と、
前記放送コンテンツに含まれるＢＭＬ文章を抽出し、解析するＢＭＬ文章解析部と、
前記ＢＭＬ文章解析部により解析されたＢＭＬ文章を表示するＢＭＬ文章表示部と、
前記ＢＭＬ文章に、他のコンテンツを取得するためのリンク先情報が含まれているか否かを判定するリンク先情報判定部と、
コンテンツ表示装置の電池残量が所定の閾値以下又はコンテンツ表示装置が緊急時モードの場合には、前記通信コンテンツの取得を抑制する制御を行うコンテンツ制御部と、
を備えることを特徴とする。
【００１２】
また、本発明のコンテンツ表示装置において、
前記コンテンツ制御部は、前記ＢＭＬ文章表示部がＢＭＬ文章を表示する場合に、前記コンテンツの取得を抑制するために、取得先が通信コンテンツとなるリンク先情報を無効にする制御を行うことを特徴とする。
【００１３】
また、本発明のコンテンツ表示装置において、
前記コンテンツ制御部は、前記ＢＭＬ文章表示部がＢＭＬ文章を表示する場合に、前記コンテンツの取得を抑制するために、取得先が通信コンテンツとなるリンク先情報の表示を変更する制御を行うことを特徴とする。
【００１４】
また、本発明のコンテンツ表示装置において、
前記コンテンツ制御部は、前記通信コンテンツの取得をしようとする場合に、警告表示を行うことにより前記通信コンテンツの取得を抑制する制御を行うことを特徴とする。
【００１５】
また、本発明のコンテンツ表示装置において、
前記緊急時モードは、通信ネットワークから緊急速報情報を受信した場合に切り替わることを特徴とする。
【００１６】
また、本発明のコンテンツ表示装置において、前記緊急速報情報は、緊急地震速報であることを特徴とする。
【００１７】
本発明のプログラムは、
コンテンツを取得して表示可能なコンピュータに、
受信された放送波から放送コンテンツを取得する放送コンテンツ取得ステップと、
通信ネットワークから通信コンテンツを取得する通信コンテンツ取得ステップと、
前記放送コンテンツに含まれるＢＭＬ文章を抽出し、解析するＢＭＬ文章解析ステップと、
前記解析されたＢＭＬ文章を表示するＢＭＬ文章表示ステップと、
前記ＢＭＬ文章に、他のコンテンツを取得するリンク先情報が含まれているか否かを判定するリンク先情報判定ステップと、
コンピュータの電池残量が所定の閾値以下又はコンピュータが緊急時モードの場合には、前記通信コンテンツの取得を抑制するための制御を行うコンテンツ制御ステップと、
を実現することを特徴とする。
【発明の効果】
【００１８】
本発明のコンテンツ表示装置によれば、放送コンテンツと通信コンテンツとが取得可能であって、放送コンテンツに含まれるＢＭＬ文章を抽出し、解析してＢＭＬ文章を表示する。そして、ＢＭＬ文章に、他のコンテンツを取得するリンク先情報が含まれているか否かを判定して、コンテンツ表示装置の電池残量が所定の閾値以下又はコンテンツ表示装置が緊急時モードの場合には、前記通信コンテンツの取得を抑制する。これにより、コンテンツ表示装置の電池残量が所定の閾値以下又は緊急時モードの場合には、利用者が意識すること無く通信コンテンツの取得が抑制されることとなる。したがって、消費電力を抑えることが適切にできるようになる。
【図面の簡単な説明】
【００１９】
【図１】本実施形態における全体のシステムを説明するための図である。
【図２】本実施形態における携帯電話の機能構成を説明するための図である。
【図３】本実施形態における設定テーブルのデータ構成の一例を示すための図である。
【図４】本実施形態における第１処理例の動作フローを示す図である。
【図５】本実施形態における第２処理例の動作フローを示す図である。
【図６】本実施形態における第３処理例の動作フローを示す図である。
【図７】本実施形態における第４処理例の動作フローを示す図である。
【図８】本実施形態における動作例を説明するための図である。
【図９】本実施形態における動作例を説明するための図である。
【図１０】本実施形態における動作例を説明するための図である。
【図１１】本実施形態における動作例を説明するための図である。
【図１２】本実施形態における動作例を説明するための図である。
【図１３】本実施形態における動作例を説明するための図である。
【発明を実施するための形態】
【００２０】
本発明のコンテンツ表示装置について実施形態を用いて説明する。なお、以下に記載の事項は本発明を説明するための一実施形態であり、本発明の内容が以下の実施形態の内容に限定されないことは勿論である。
【００２１】
［１．全体説明］
図１は、本発明のコンテンツ表示装置が含まれる携帯電話１０の外観を示した図である。携帯電話１０に含まれるコンテンツ表示装置は、放送局２０から、放送波を受信することが可能であり、携帯基地局３０と通信を行うことにより、データ通信や、音声通話を行うことができる。
【００２２】
ここで、携帯電話１０が放送局２０から受信する放送波から放送コンテンツを取得することができる。また、携帯基地局３０を介して行うデータ通信を用いて通信コンテンツを取得することが可能である。
【００２３】
［２．機能構成］
続いて、携帯電話１０の機能構成について、図２を用いて説明する。図２に示すように、携帯電話１０は、制御部１００と、通信部１１０と、チューナ部１２０と、ＤＥＭＵＸ部１３０と、ＢＭＬ文章解析部１４０と、記憶部１５０と、電池残量監視部１６０と、タイマ制御部１７０と、操作部１８０と、画面表示部１９０と、音声入出力部１９５とを備えて構成されている。
【００２４】
制御部１００は、携帯電話１０の全体を制御するための機能部である。制御部１００は、記憶部１５０に記憶されている各種プログラムを読み出して実行することにより各種機能を実現しており、例えばＣＰＵ（Central Process Unit）等により構成されている。
【００２５】
通信部１１０は、携帯基地局３０と接続されて、各種データ通信や、音声信号の通信を行ったりすることができる機能部である。携帯基地局３０とは、３Ｇ回線といったキャリアの携帯電話網を利用しても良いし、ＷｉＭＡＸのような通信網を介しても良い。更に、公衆無線ＬＡＮサービス等の無線ＬＡＮを介して接続されても良い。
【００２６】
チューナ部１２０は、放送局２０より、選択されたチャンネルに対応する放送波を受信し、出力するための機能部である。そして、受信された放送波は、復号され、ＤＥＭＵＸ部１３０に出力される。ここで、放送波の一例としては、例えば地上波デジタル放送（ワンセグ放送、フルセグ放送）や、ＢＳデジタル放送等のデジタル放送である。
【００２７】
ＤＥＭＵＸ部１３０は、入力されたコンテンツをデータ毎に種別等により分離し、出力する為の機能部である。例えば、映像データは画面表示部１９０に、音声データは音声出力部１９５に、それぞれ出力される。また、コンテンツに含まれている文字データ、特にＢＭＬ文章が含まれている場合には、ＢＭＬ文章解析部１４０に出力される。
【００２８】
ＢＭＬ文章解析部１４０は、ＢＭＬ文章を解析するための機能部である。このＢＭＬは、ＢＭＬブラウザといわれるアプリケーションで表示されることが一般的である。なお、ＢＭＬについては、ハイパーテキスト形式の一例として説明したが、例えばＨＴＭＬ、ＸＭＬ、ＳＧＭＬといった他の形式であっても良い。
【００２９】
記憶部１５０は、携帯電話１０の動作に必要な各種プログラムや、各種データが記憶されている機能部である。記憶部１５０は、例えば、半導体メモリや、ＨＤＤ（Hard Disk Drive）等により構成されている。
【００３０】
また、記憶部１５０には、設定テーブル１５２が記憶されている。ここで、設定テーブル１５２について、データ構造の一例を図３に示す。
【００３１】
設定テーブル１５２は、本実施形態において説明する機能（コンテンツ取得制限機能）を利用するか、否か（例えば、「ＯＮ」）と、電池残量の閾値（例えば、「２０％」）と、緊急信号を受信した場合の挙動（例えば、「ＯＮ」）とを含めて記憶しているテーブルである。
【００３２】
電池残量監視部１６０は、電池１６５の残量を監視するための機能部である。タイマ制御部１７０が、所定時間毎に、電池残量監視部１６０を動作させ、電池１６５の残量を取得することとなる。電池の残量を取得する方法は、例えば電池１６５に内蔵されている情報チップから取得したり、検出される電流量から取得したりと、公知である方法のうち、何れかの方法を利用すれば良い。
【００３３】
操作部１８０は、利用者が操作入力を行う為の機能部である。例えば、ハードウェアキーであったり、画面表示部１９０に表示されるソフトキーであったり、タッチパネルであったりと種々の入力手段により構成されている。
【００３４】
画面表示部１９０は、映像や画像、文字等を表示するための機能部であり、例えば液晶ディスプレイや、有機ＥＬディスプレイ等により構成されている。また、音声入出力部１９５は、音声を入力したり出力したりするための機能部である。例えば、マイクやスピーカ等により構成されている。
【００３５】
［３．処理の流れ］
［３．１  第１処理例］
続いて、本実施形態における処理の流れについて、図を用いて説明する。まず、第１処理例について図４を用いて説明する。
【００３６】
まず、電池１６５の残量について、電池残量監視部１６０により監視する（ステップＳ１０２）。監視するタイミングとしては、例えば、タイマ制御部１７０により所定時間毎（例えば１秒毎や、５秒毎といった所定時間毎）に、電池残量を取得することにより監視する。また、取得された電池１６５の残量について、例えば満充電状態に対する残量の割合を算出し、画面表示部１９０において表示しても良い。
【００３７】
続いて、電池残量が所定の閾値を下回るか、緊急地震速報を受信して、緊急時モードであるか否かを判定する（ステップＳ１０４）。電池残量の所定の閾値は、設定テーブル１５２に記憶されている。当該設定値は、例えば予め設定されていても良いし、利用者が設定することとしても良い。また、例えば「通常モード」、「省電力モード」といった複数のモードを切り替えることが可能な端末の場合、それぞれのモードに対応して所定の閾値を設定しても良い。
【００３８】
また、緊急時モードは、携帯電話１０が緊急地震速報を受信した場合と判定された場合に切り替わるモードである。本実施形態においては、緊急時モードに切り替わる例として緊急地震速報を用いて説明するが、例えば津波警報、地方自治体から発信される災害・避難情報であったり、キャリアから一斉送信される緊急速報メール等であったりしても良い。
【００３９】
次に、設定テーブル１５２において、機能が「ＯＮ」に設定されているか否かを判定する（ステップＳ１０６）。機能が「ＯＮ」に設定されていない場合には、通常通り取得されたＢＭＬ文章を表示する（ステップＳ１０６；Ｎｏ→ステップＳ１１２）。
【００４０】
他方、機能が「ＯＮ」に設定されている場合（ステップＳ１０６；Ｙｅｓ）、取得されて表示するＢＭＬ文章中に通信コンテンツへの遷移が含まれているか否かを判定する（ステップＳ１０８）。
【００４１】
ここで、ＢＭＬ文章に通信コンテンツが含まれているか否かは、ＢＭＬ文章解析部１４０により解析される。ＢＭＬ文章において、文章遷移を行わせるときには、
「<a href="XXX.bml">リンク先</a>」
と記述されている。ここで、放送波で映像・音声を受信するコンテンツ（以下、「放送コンテンツ」という）に遷移する場合は、
「<a href="broadcast_contents_1.bml">放送波コンテンツ</a>」
等と記述されている。
【００４２】
他方、通信網に接続し、通信経由でダウンロードしてくるコンテンツ（以下、「通信コンテンツ」という）に遷移する場合は、
「<a href="http://XXX/test/link_contents_1.bml">通信コンテンツ</a>」
等と記述されている。
【００４３】
すなわち、遷移先（ジャンク先、リンク先）が、「http://」又は「https://」で始まるコンテンツの場合、当該遷移先のコンテンツは通信コンテンツであると判定することができる。
【００４４】
ここで、表示するＢＭＬ文章中に通信コンテンツの遷移が含まれている場合、当該箇所の文字又は画像の色を変更する（ステップＳ１１０）。
【００４５】
そして、受信されているＢＭＬ文章を表示する（ステップＳ１０８；Ｎｏ→ステップＳ１１２又はステップＳ１０８；Ｙｅｓ→ステップＳ１１０→ステップＳ１１２）。
【００４６】
なお、本処理例では、ステップＳ１０８において表示するＢＭＬ文章中に通信コンテンツの遷移が含まれているか否かを確認した後、ＢＭＬ文章を表示しているが、例えば先にＢＭＬ文章に基づいて画面に表示し、ステップＳ１１２において必要な箇所のＢＭＬ文章の表示を変えるような処理としても良い。
【００４７】
［３．２  第２処理例］
続いて、第２処理例について図５を用いて説明する。第２処理例は、第１処理例と比較して、ステップＳ１１０の処理をステップＳ１２０に変えた処理である。なお、第１処理例と同一の処理には同一の符号を付して、説明を省略する。
【００４８】
第２処理例では、表示するＢＭＬ文章中に、通信コンテンツの遷移（リンク）が含まれている場合、当該箇所のリンクを無効化する（ステップＳ１０８；Ｙｅｓ→ステップＳ１２０）。
【００４９】
例えば、
「<a href="http://XXX/test/link_contents_1.bml">通信コンテンツ</a>」
であれば、
「通信コンテンツ」
と変更して、ＢＭＬ文章を表示する（ステップＳ１１２）。なお、リンクを無効化する方法であれば、上述の方法に限定されるものではない。
【００５０】
例えば、
「<a href="">通信コンテンツ</a>」
と、リンク先の情報を削除したり、ダミーの情報を含めたりするといった方法でも良い。
【００５１】
［３．３  第３処理例］
続いて、第３処理例について図６を用いて説明する。第３処理例は、第１処理例と比較して、ステップＳ１１０の処理をステップＳ１４０に変えた処理である。なお、第１処理例と同一の処理には同一の符号を付して、説明を省略する。
【００５２】
第３処理例では、表示するＢＭＬ文章中に、通信コンテンツの遷移（リンク）が含まれている場合、当該箇所の文字又は画像の色を変更し、リンクを無効化する（ステップＳ１０８；Ｙｅｓ→ステップＳ１４０）。
【００５３】
例えば、第２処理例と同様に、
「<a href="http://XXX/test/link_contents_1.bml">通信コンテンツ</a>」
であれば、
「通信コンテンツ」
と変更して、更に「通信コンテンツ」の文字の色を変更する。
【００５４】
［３．４  第４処理例］
続いて、第４処理例について図７を用いて説明する。第４処理例は、第１処理例と比較して、ステップＳ１１０の処理をステップＳ１５０に変え、ステップＳ１５２以降の処理を加えたものである。なお、第１処理例と同一の処理には同一の符号を付して、説明を省略する。
【００５５】
第４処理例は、表示するＢＭＬ文章において、取得する先（リンク先）が通信コンテンツの場合、通信コンテンツを取得するために接続するか否かを利用者に確認させる表示を行う処理である。なお、第１処理例と同一の処理には同一の符号を付して、説明を省略する。
【００５６】
表示するＢＭＬ文章中に、通信コンテンツの遷移（リンク）が含まれている場合、当該箇所のリンク先を変更する（ステップＳ１５０）。そして、ＢＭＬ文章を表示した後（Ｓ１１２）、当該リンク先（すなわち、ステップＳ１５０において変更された通信コンテンツのリンク）が選択されたか否かを判定する（ステップＳ１５２）。
【００５７】
当該リンク先が選択された場合（ステップＳ１５２；Ｙｅｓ）、通信接続を行うか否かを確認する（ステップＳ１５４）。ここで、接続することが選択された場合はリンク先の通信コンテンツを取得し（ステップＳ１５６；Ｙｅｓ→ステップＳ１５８）、接続しないことが選択された場合は通信コンテンツを取得しない処理を実行する（ステップＳ１５６；Ｎｏ→ステップＳ１６０）。
【００５８】
なお、本処理例では、ステップＳ１５０において当該箇所のリンク先を変更しているが、特に変更しなくとも良い。すなわち、リンク先に遷移する（ジャンプする）動作が実行された場合に、「http://」「https://」でリンク先は通信コンテンツであると判定しても良い。
【００５９】
［４．動作例］
続いて、画面表示部１９０に表示される表示画面の例を使って、本実施形態の動作例を説明する。
【００６０】
図８は、電池残量が９５％（領域Ｒ１００に表示）のときの動作例であり、図９は電池残量が１５％（領域Ｒ２００に表示）のときの動作例である。この場合、図３の設定テーブル１５２によれば、所定の閾値は「２０」％に設定されている。図８では、リンク先として、放送コンテンツのリンク先であるＲ１０２及びＲ１０４、通信コンテンツのリンク先であるＲ１０６が選択可能である。
【００６１】
それに対して、図９では、放送コンテンツのリンク先であるＲ２０２及びＲ２０４は選択可能であるが、通信コンテンツのリンク先であるＲ２０６は選択出来ない状態となっている。また、「通信コンテンツへ」との表示も、異なる色で表示されている。
【００６２】
図１０は、電池残量が１５％（領域Ｒ３００に表示）のときに、「通信コンテンツ」が選択された場合である。このように、単純に選択出来ないようにするだけでなく、例えば警告ウィンドウＲ３０２が表示されることとしても良い。
【００６３】
図１１は、電池残量が１５％（領域Ｒ４００に表示）のときに、「通信コンテンツ」が選択された場合である。図１１では、警告ウィンドウＲ４０２に、確認メッセージ「この先は通信網へのアクセスが必要です  設定を行いますか？」と表示されている。
【００６４】
ここで、利用者が「はい」（領域Ｒ４０４）を選択すると通信コンテンツを表示する。他方、利用者が「いいえ」（領域Ｒ４０６）を選択すると通信コンテンツを表示しない。なお、利用者が「はい」を選択することにより、例えば通信コンテンツを直接表示させるのではく、今後表示させるか否かの設定できるモードを起動しても良い。
【００６５】
図１２は、緊急通知メールである緊急地震速報を受信した場合の動作例である。電池残量は９０％（領域Ｒ５００に表示）であるが、現在緊急時モード（緊急地震速報を受信したこと）を示すマークＲ５０２が表示されている。
【００６６】
図１３は、緊急時モード（緊急地震速報を受信した後）に、通信コンテンツがリンク先として選択された場合を示す図である。電池残量は９０％（領域Ｒ６００に表示）と、十分にあるが、緊急時モード（マークＲ６０２）であるため、警告ウィンドウＲ６０４が表示されている。
【００６７】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００６８】
上述した実施形態については、コンテンツ表示装置として携帯電話を一例に説明したが、他の情報処理装置、例えばカーナビゲーションシステム、電子辞書、スマートフォン、タブレット端末、コンピュータといった装置でも実現可能なことは勿論である。
【００６９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００７０】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（(Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００７１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００７２】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【００７３】
また、コンテンツ表示装置として、取得されるコンテンツは放送波から取得されるコンテンツを一例に説明したが、取得されるコンテンツは必ずしも放送波に限定されるものでは無い。すなわち、ＨＴＭＬで記述されたＷＥＢページ等による場合も同様である。例えば、電池残量が低い場合又は緊急時モードの場合は、ローカルに保存された内部コンテンツを表示可能とし、通信を経由して取得される外部コンテンツについては、取得を制限するといったことが可能である。
【００７４】
また、上述した処理例では、表示される前のＢＭＬ文章について、通信コンテンツの遷移（リンク先）が含まれるか否かを解析し、必要に応じてＢＭＬ文章を変更して表示することとして説明した。しかし、例えばＢＭＬ文章を一度表示して、必要に応じて通信コンテンツの遷移（リンク先）を変更しても良い。
【符号の説明】
【００７５】
１０  携帯電話
１００  制御部
１１０  通信部
１２０  チューナ部
１３０  ＤＥＭＵＸ部
１４０  ＢＭＬ文章解析部
１５０  記憶部
１５２  設定テーブル
１６０  電池残量監視部
１６２  電池
１７０  タイマ制御部
１８０  操作部
１９０  画面表示部
１９５  音声入出力部
【図１】
2013187657.tif 000003
【図２】
2013187657.tif 000004
【図３】
2013187657.tif 000005
【図４】
2013187657.tif 000006
【図５】
2013187657.tif 000007
【図６】
2013187657.tif 000008
【図７】
2013187657.tif 000009
【図８】
2013187657.tif 000010
【図９】
2013187657.tif 000011
【図１０】
2013187657.tif 000012
【図１１】
2013187657.tif 000013
【図１２】
2013187657.tif 000014
【図１３】
2013187657.tif 000015